(57)【要約】【課題】捨貼り合板に溝を形成する等の加工をすることなく、床暖房装置を水平状に敷設することが出来るようにして、余分な工数を削減し、コスト低減を図り、施工に於ける作業性を単純化して工期の短縮が図れる床暖房装置を提供する。【解決手段】面状発熱体２の巾よりやや長く設定した複数の長尺で薄板状のヒーター電極３、４，５，６を、前記面状発熱体２の何れか一方の面上に平行状態に一定の間隔を置いて且つその一端が方向を逆にして交互にはみ出すように取り付け固定したヒーターエレメント１に於ける前記面状発熱体２の両側に、はみ出したヒーター電極３、４，５，６をそれぞれの側で長尺で薄板状の電源線７、８に取り付け固定して基本構造とし、該基本構造に絶縁シート１２等付帯部材を取り付け配設して、前記電源線７、８の一端にリード線９を接続する。【選択図】            図１
2004340557.tif 000002
【特許請求の範囲】
【請求項１】
面状発熱体の巾よりやや長く設定した複数の長尺で薄板状のヒーター電極を、前記面状発熱体の何れか一方の面上に平行状態に一定の間隔を置いて且つその一端が方向を逆にして交互にはみ出すように取り付け固定したヒーターエレメントに於ける前記面状発熱体の両側に、はみ出したヒーター電極をそれぞれの側で長尺で薄板状の電源線に取り付け固定して基本構造とし、該基本構造に絶縁シート等付帯部材を取り付け配設して、前記電源線の一端にリード線を接続したことを特徴とする床暖房装置。
【請求項２】
ヒーター電極と電源線との取り付け固定をスポット溶接で行うことを特徴とする請求項１記載の床暖房装置。
【請求項３】
絶縁シートでもって基本構造を絶縁し、前記絶縁シート上面に均熱シートを固着して、更に該均熱シートを含み保護シートにより保護したことを特徴とする請求項１及び請求項２記載の床暖房装置。
【請求項４】
実質的に複数の基本構造を一定の間隔をおいて連接したことを特徴とする請求項１〜請求項３記載の床暖房装置。
【請求項５】
隣り合う基本構造の均熱シートに於いて対応する側には対応面に沿ってアルミテープを間隙部に張り出すように固着したことを特徴とする請求項４記載の床暖房装置。
【発明の詳細な説明】
【０００１】
【発明の属する技術分野】
本発明は、居住空間の暖房特に住宅関連の床暖房装置に関するものである。
【０００２】
【従来の技術】
近年、床暖房の効用が認識され、普及の度合いが大きくなっている。その理由の一つとして考えられるのは、エアコンや石油ストーブ等が、まず空間を暖め、暖まった空気によって暖を取るのに対して、床暖房は足や腰から直接暖を取ることになるので、効率が良く、周囲温度以上の暖かさを感じる点である。しかし、床暖房のイメージとしては、工事が大掛りで、費用も高額になるというのが一般的で、普及が進んでいるとはいっても、暖房装置全体の中での割合は少ないのが現状である。こうした状況下、床暖房の開発が進められ、安価で簡便な床暖房装置が種々商品化されて、普及の度合いを更に大きくしている。
【０００３】
例えば、平面視正方形或いは長方形で、厚さの薄いカーペット状を呈した暖房装置が知られている。この装置は、簡単に云えば床面の上に敷設して電気的配線をするだけで床暖房として機能するものであって、表面には木材等で作られたシート材が取り付けセットされていて、そのままフロアとして使用出来るようになっている。図７は、従来技術の一例を示す部分断面図であるが、カーペット状を呈した暖房装置本体の内部には、面状発熱体２０が配設されていて、電気結合部２１でもって給電線２２と結線されている。こうした構成であるので、装置自体が安価であるばかりでなく、施工も簡単であり、トータルコストは更に安くなる。このように効果的な暖房装置ではあるが、今一つ改良が望まれている所がある。
【０００４】
どこに改良を要する点があるのか即ち従来技術の問題点を図８と図９により説明する。カーペットタイプの床暖房装置は、大引と呼ばれ、横設される柱状部材の上に、該大引に直交状態に根太を取り付け固定し、この根太の上面に配設された捨貼り合板２３の上に敷設されるのが普通である。けれど従来のカーペットタイプの床暖房装置は、電気結合部２１の厚さが大きく（約５〜６ｍｍ）、面状発熱体２０への給電線２２の取り付けはハトメかしめで行なわれる。この為、そのまま敷設すると電気結合部２１の部分が盛り上がってしまう為、図８に示すように面状発熱体２０の電気結合部２１に対応する捨貼り合板２３の部分に溝２４を形成するか、或いは捨貼り合板２３の方向性を無くし使い勝手を良くする為には、図９に示すように、広い範囲に中央部掘り込み溝２５を形成しなければならない点である。
【０００５】
【発明が解決しようとする課題】
このように、従来技術に於いては面状発熱体２０換言すれば床暖房装置を水平状に敷設するには、捨貼り合板２３に溝２４又は中央部掘り込み溝２５を形成しなければならず、余分な工数がかかるのは勿論、コスト的にも問題があり、施工に於ける工期にも悪影響を及ぼすようになる。
【０００６】
本発明の目的は、捨貼り合板に溝を形成する等の加工をすることなく、床暖房装置を水平状に敷設することが出来るようにして、余分な工数を削減し、コスト低減を図り、施工に於ける作業性を単純化して工期の短縮が図れる床暖房装置を提供することである。
【０００７】
【課題を解決するための手段】
上記目的を達成するために、請求項１記載の発明は、面状発熱体の巾よりやや長く設定した複数の長尺で薄板状のヒーター電極を、前記面状発熱体の何れか一方の面上に平行状態に一定の間隔を置いて且つその一端が方向を逆にして交互にはみ出すように取り付け固定したヒーターエレメントに於ける前記面状発熱体の両側に、はみ出したヒーター電極をそれぞれの側で長尺で薄板状の電源線に取り付け固定して基本構造とし、該基本構造に絶縁シート等付帯部材を取り付け配設して、前記電源線の一端にリード線を接続したものである。この様に構成したことにより、捨貼り合板に溝を形成する等の加工が必要なくなり、簡単に且つ正確に床暖房装置を水平状に敷設することが出来るので、工数削減やコスト低減が図れ、施工に於ける作業性が単純化され工期の短縮を図ることが出来る。
【０００８】
請求項２記載の発明は、ヒーター電極と電源線との取り付け固定をスポット溶接で行うようにしたものである。この様に構成したことにより、取り付け固定を簡単に行なうことが出来る。
【０００９】
請求項３記載の発明は、絶縁シートでもって基本構造を絶縁し、前記絶縁シート上面に均熱シートを固着して、更に該均熱シートを含み保護シートにより保護したものである。この様に構成したことにより、温度ムラを無くし、搬送時や施工時等で発生する損傷を防止することが出来る。
【００１０】
請求項４記載の発明は、実質的に複数の基本構造を一定の間隔をおいて連接可能としたものである。この様に構成したことにより、広さ（４．５畳、６畳そして８畳等）に合わせた商品設定が、連接組数を変更することで簡単に行うことが出来る
【００１１】
請求項５記載の発明は、隣り合う基本構造の均熱シートに於いて対応する側には対応面に沿ってアルミテープを間隙部に張り出すように固着したものである。この様に構成したことにより、連接することで生まれる間隙部の温度低下をカバーすることが出来る。
【００１２】
【発明の実施の形態】
以下、本発明の実施の形態を実施例である図１〜図６に基づき詳細に説明する。図１は本発明による床暖房装置の一実施例を示す基本構造の平面図で、図２は図１に於けるＤ部詳細図、図３は図１に於けるＡ−Ａ断面図である。図４は本発明による床暖房装置の一実施例を示す平面図であって、図５は図４に於けるＢ−Ｂ断面図、図６は図４に於けるＣ−Ｃ断面図である。
【００１３】
それでは、図１〜図３を参照しながら本発明の床暖房装置の基本構造を説明する。１は、平面視長方形の面状発熱体２と薄板状（厚さ０．１〜０．２ｍｍ）で細長いヒーター電極３、４，５，６から成るヒーターエレメントで、実施例では面状発熱体２及びヒーター電極３、４，５，６をニ組（ニつのユニット）使用する構成としてある。これは説明を解り易く簡単に行なうためであり、使用する組数は特に限定するものではない。尚、面状発熱体２を平面視長方形と説明したが平面視正方形であっても良く、要は仕様に応じた形状とすれば良いのである。７及び８は前記ヒーター電極と同様に薄板状（厚さ０．１〜０．２ｍｍ）で細長い純銅製の電源線である。
【００１４】
面状発熱体２の何れか一方の面上（実施例では上側）には、平行状態に一定の間隔を置いてヒーター電極３、４，５，６が適切な方法で取り付け固定されている。該ヒーター電極３、４，５，６は略同じ長さで形成され、且つ面状発熱体２の巾よりやや長くなっていて、前記面状発熱体２への取り付けに当たっては、交互に一端を面状発熱体２の端部と同じ位置とし、その為他端は面状発熱体２の端部から交互にはみ出すよう考慮されている。こうして構成されたヒーターエレメント１の両側には、図１に示すように電源線７，８が配設され、ヒーター電極３、４，５，６それぞれの端部と一体的に固定される。実施例ではヒーター電極３、５の右側端部がはみ出し、ヒーター電極４，６は左側端部をはみ出すようにしてあるので、電源線７はヒーター電極４，６と、そして電源線８はヒーター電極３，５と一体的に固定した状態としてある。ヒーター電極と電源線の固定は図２に示すように、スポット溶接で行なわれる。Ｓは溶接後のスポット溶接部でヒーター電極６のはみ出した部分の下側に電源線を配置し、重ね合わせた状態で行なわれる。この様にして二組のヒーターエレメント１、１は一定の間隔を置いて適切に配設され、且つ両側には電源線７、８をヒーター電極と一体的に取り付け固定することで全体として結線され、基本構造として機能する。９、９は電源線７、８の端部（図１、図４に於いて下側）に丸端子１０、１０でもって接続されたリード線である。
【００１５】
続いて、更に基本構造について説明する。ヒーターエレメント１が四つのヒーター電極３、４，５，６を平行状態に一定の間隔を置いて面状発熱体２に取り付け固定したものであって、これを一組とすることは既に述べた通りであるが、この点について詳細に説明する。ヒーター電極の数は理論的には３本でも５本でも、もっと多くても良く、又面状発熱体への取り付け間隔については、その長さを幾らにしても良いというものでなく、面状発熱体やヒーター電極の仕様によって、僅かではあるが個々に対応が異なってくる。従って、トータル的に効果を得る様にする必要があり、本発明においては、厚さが０．１〜０．２ｍｍで巾が１０ｍｍ前後のヒーター電極の場合は、その間隔を７５ｍｍ（ヒーター電極の中心線間距離）とし、この間隔から面状発熱体の巾を２４５ｍｍとするのを基本としている。簡単に云えば、一つの面状発熱体に四本のヒーター電極を使用し、各ヒーター電極間の間隔を７５ｍｍとし、面状発熱体の巾を２４５ｍｍとすることであって、この設定は発熱を効果的に得るばかりではなく、製造過程の組み付け作業性、保管や搬送の容易性等トータル的に考慮した結果である。勿論、どうしても基本設定にしなければならにということではなく、多少の設計変更が可能であるのは云うまでもない。
【００１６】
更に、電源線の配設についてであるが、前述したように、電源線７，８を両側に振り分けている。理論的には振り分ける必要は無く、一方側にまとめて一定の間隔をおいて平行状に配設しても良いが、電源線は勿論ヒーター電極にしても、極薄い長尺状を呈した形状としているので強度的に充分といえず、変形し易い為一方側にまとめての組み付けは面倒であり、又ヒーター電極の間隔も一定に確保し難い。こうした点を考慮して本実施例では両側に振り分けているのである。
【００１７】
ここで、電源線とヒーター電極の組み付けについて詳細に説明する。前述した通り、電源線７はヒーター電極４，６と、そして電源線８はヒーター電極３，５と一体的に固定されている。換言すれば、ヒーター電極３は電源線８に、ヒーター電極４は電源線７に、そしてヒーター電極５は電源線８、ヒーター電極６は電源線７とジグザグ状に取り付け固定して結線されている。この理由は、交流電源を使う場合に対応させたもので、必然的に電源線７、８に於いては、何れか一方がプラス用となり、他方がマイナス用となっている。
【００１８】
図４は、上記基本構造を内蔵した床暖房装置の一実施例を示す平面図であるが、図５と図６を併せて参照しながら、その構成を説明する。図５に於いて、２は面状発熱体で、上面にはヒーター電極４が取り付け固定されていて、ヒーター電極３には電源線８が取り付け固定されているのが理解できる。そして、その周囲は絶縁シート１２で覆われていて（実施例では端部も含め全体を被覆しているが、端部を除いた上側面と下側面のみを絶縁するようにしても良い。）、該絶縁シート１２上側面にはアルミ製の均熱シート１３が適切な方法で固着されている。
更に上下両面即ち下側の絶縁シート１２の下面と均熱シート１３上面は、極薄いＰＥＴ（ポリエチレンテレフタレート）フィルムで作られた保護シート１４、１５でもって保護されている。この様に本発明による床暖房装置１１は、前述した基本構造を絶縁シート１２で絶縁し、均熱シート１３によって表面温度をムラなく均等にし、保護シート１４、１５でもって搬送時や施工時等で発生する損傷を防止するようになっているのである。
【００１９】
次に、図６によって、ヒーターエレメント１，１の間即ち隣り合うヒーターエレメントの間に相当する部分の構造を説明する。二つの面状発熱体２，２の隣り合う側の端部は、それぞれ絶縁シート１２で覆われ、左側面の絶縁シート１２には均熱シート１３が固着され、該均熱シート１３の上面と右側面の絶縁シート１２の上面には保護シート１４、１５が固着されている。１６は上部のヒーターエレメント１側であって、均熱シート１３に適切な方法で固着した長い薄板状のアルミテープで、前記均熱シート１３端部より張り出すように固着されている。１７は前記アルミテープ１６と同様に下部のヒーターエレメント１側に固着したアルミテープである。アルミテープ１６，１７は、隣り合うヒーターエレメントの間に相当する部分即ち間隙部１８に於ける温度低下をカバーするもので、第２の均熱シートとしての機能を有している。１９はアルミテープ１６，１７の間の間隙部である。
【００２０】
ここで、念のために床暖房装置１１について再度説明を加える。該床暖房装置１１は、二組のヒーターエレメント１，１を使用し、それぞれのヒーターエレメントの一方側にプラス用の電源線を、又他方側にはマイナス用の電源線を取り付け固定し、そして後絶縁シートと均熱シート更にアルミテープを適切に配設して、最終的に上下両面を保護シートでもって覆ったものであり、既に述べた通りであるが、見方を変えると同じ構造を持つ床暖房装置を二組（一つの組を１ユニットとすれば２ユニット）連接したものと云うことも可能である。従って、組数を増加することが可能であり、例えば一般家庭用向けとして設置する場合、その広さ（４．５畳、６畳そして８畳等）に合わせて連接組数を変更することで簡単に商品設定が出来るのである。尚、床暖房装置１１の組み立てに於いて、まずヒーターエレメントの部分を先に完成させ即ちヒーターエレメントに絶縁シート均熱シートそしてアルミテープを配設して、更に上下両面を保護シートでもって覆い、これをサブアセンブリとし、その後サブアセンブリのヒーター電極と電源線をスポット溶接し、最終段階で前記電源線の部分に絶縁シート、均熱シートを配設してから保護シートを被着するようにしても良い。更に付言すれば、保護シートの被着方法はサブアセンブリの単位で電源線の部分を含めて表と裏側各１枚の保護シートを被着しているが、床暖房装置全体（図４では二組連接）を１枚の保護シート（表と裏では２枚）で被着させることも可能である。
【００２１】
こうした構成から成る本発明による床暖房装置の設置方法を簡単に説明する。一般的な家屋の場合は、大引と呼ばれ、横設される柱状部材の上に、該大引に直交状態に根太を取り付け固定し、この根太の上面に配設された捨貼り合板の上に床暖房装置が敷設される。該床暖房装置の上面側には、長尺且つ平板状のフロア即ち床材（図示せず）をヒーターエレメントの長手方向とは直交方向に配置し、隣り合うサブアセンブリの間、換言すれば隣り合うヒーターエレメントの間に相当する部分即ち間隙部１８（図６参照）の所でビスやクギ場合によってはクリップでもって安定的に取り付け固定し、リード線９，９を適切に配線することで装置全体の敷設が完了する。
【００２２】
このよう敷設された床暖房装置は、図示しないスイッチをＯＮさせると、リード線、電源線、ヒーター電極、面状発熱体と通電されて、面状発熱体の温度が上昇する。昇温した前記面状発熱体はフロアを暖め、該フロア表面は暖房装置として機能する。
【００２３】
【発明の効果】
本発明は、以上説明したように構成されているので、以下に説明するような効果を奏する。
【００２４】
本発明による床暖房装置は、面状発熱体の巾よりやや長く設定した複数の長尺で薄板状のヒーター電極を、前記面状発熱体の何れか一方の面上に平行状態に一定の間隔を置いて且つその一端が方向を逆にして交互にはみ出すように取り付け固定したヒーターエレメントに於ける前記面状発熱体の両側に、はみ出したヒーター電極をそれぞれの側で長尺で薄板状の電源線に取り付け固定して基本構造とし、該基本構造に絶縁シート等付帯部材を取り付け配設して、前記電源線の一端にリード線を接続したので、捨貼り合板に溝を形成する等の加工が必要なくなり、その為簡単に且つ正確に床暖房装置を水平状に敷設することが可能となって、工数削減やコスト低減が図れ、施工に於ける作業性が単純化され工期の短縮を図ることが出来る。
【００２５】
更に、本発明による床暖房装置は、ヒーター電極と電源線との取り付け固定をスポット溶接で行うようにしたので、ヒーター電極と電源線を簡単に取り付け固定することが出来る。
【００２６】
更に、本発明による床暖房装置は、絶縁シートでもって基本構造を絶縁し、前記絶縁シート上面に均熱シートを固着して、更に該均熱シートを含み保護シートにより保護したので、表面温度のムラが無くなり、搬送時や施工時等で発生する損傷を防止することが出来る。
【００２７】
更に、本発明による床暖房装置は、実質的に複数の基本構造を一定の間隔をおいて連接可能としたので、広さ（４．５畳、６畳そして８畳等）に合わせた商品設定が、連接組数を変更することで簡単に行うことが出来る。
【００２８】
更に、本発明による床暖房装置は、隣り合う基本構造の均熱シートに於いて対応する側には対応面に沿ってアルミテープを間隙部に張り出すように固着したので、連接することで生まれる間隙部の温度低下をカバーすることが出来る。
【図面の簡単な説明】
【図１】本発明による床暖房装置の一実施例を示す基本構造の平面図である。
【図２】図１に於けるＤ部詳細図である。
【図３】図１に於けるＡ−Ａ断面図である。
【図４】本発明による床暖房装置の一実施例を示す平面図である。
【図５】図４に於けるＢ−Ｂ断面図である。
【図６】図４に於けるＢ−Ｂ断面図である。
【図７】従来技術の一例を示す部分断面図である。
【図８】従来技術の一例を示す簡略図である。
【図９】従来技術の他の例を示す簡略図である。
【符号の説明】
１  ヒーターエレメント
２  面状発熱体
３、４，５，６  ヒーター電極
７、８  電源線
９  リード線
１０  丸端子
１１  床暖房装置
１２  絶縁シート
１３  均熱シート
１４、１５  保護シート
１６、１７  アルミテープ
１８、１９  間隙部
２０  面状発熱体
２１  電気結合部
２２  給電線
２３  捨貼り合板
２４  溝
２５  中央部掘り込み溝
Ｓ  スポット溶接部
【図１】
2004340557.tif 000003
【図２】
2004340557.tif 000004
【図３】
2004340557.tif 000005
【図４】
2004340557.tif 000006
【図５】
2004340557.tif 000007
【図６】
2004340557.tif 000008
【図７】
2004340557.tif 000009
【図８】
2004340557.tif 000010
【図９】
2004340557.tif 000011